(57)【要約】【課題】車両の駐車時間を自動的に検出表示し外部から迅速，容易，確実に当該車両の駐車時間等を確認し又は読み取り記録することができ、違法駐車の確認と処理作業の能率化を図り交通渋滞を防止し交通安全に寄与し得る車両の駐車時間自動検出表示装置を提供する。【解決手段】駐車状態検出信号の入力に基づき駐車時間を計測する制御装置と、制御装置からの計測信号に基づき駐車時間を表示する表示装置と、制御装置からの計測信号に基づき駐車時間等の必要事項を記憶する記憶装置とからなり、車両内の適宜位置に配設して用いることを特徴とする。またこれらに加えて，駐車時間等の必要事項のデータを外部に転送送信し得る出力装置を備える。【選択図】        図１
2004333328.tif 000002
【特許請求の範囲】
【請求項１】
駐車状態検出信号の入力に基づき駐車時間を計測する制御装置と、制御装置からの計測信号に基づき駐車時間を表示する表示装置と、制御装置からの計測信号に基づき駐車時間等を記憶する記憶装置とからなり、車両内の適宜位置に配設して用いることを特徴とする車両駐車時間自動検出表示装置。
【請求項２】
少なくとも駐車時間の表示装置は、外部から目視できる車両内の適宜位置に配設したことを特徴とする請求項１記載の車両駐車時間自動検出表示装置。
【請求項３】
制御装置における駐車時間の計測は、駐車状態検出信号の入力と車両に搭載の時計機構からの時刻信号に基づき制御装置にて行うことを特徴とする請求項１又は２記載の車両駐車時間自動検出表示装置。
【請求項４】
制御装置における駐車時間の計測は、駐車状態検出信号の入力に基づき制御装置に内蔵のタイマーにて行うことを特徴とする請求項１又は２記載の車両駐車時間自動検出表示装置。
【請求項５】
制御装置からの指令に基づき記憶装置のデータを読み出し外部のデータ読み取り装置にそれを転送送信するデータ出力装置を備えてなることを特徴とする請求項１，２，３又は４記載の車両駐車時間自動検出表示装置。
【請求項６】
衛星から送られる現在地の位置データと時刻データを制御装置に入力するＧＰＳ受信機を備え、制御装置からの指令に基づきその位置データと時刻データを記憶装置にて記憶することを特徴とする請求項１，２，３，４又は５記載の車両駐車時間自動検出表示装置。
【発明の詳細な説明】
【０００１】
【発明が属する技術分野】
本発明は、車両の駐車時間を自動的に検出表示し、外部から迅速，容易，確実に当該車両の駐車時間等の駐車状況を確認し又は読み取り記録することができ、違法駐車の確認と処理作業の能率化を図り交通渋滞を防止し交通安全に寄与し得る車両の駐車時間自動検出表示装置に関するものである。
【０００２】
【従来の技術】一般に路上等における違法駐車の取り締まりは、警察官の巡回により白墨等にて駐車位置と時刻を表示し、所定時間経過後に違法駐車の確認と処理をなしているが、人手による作業のためその確認と処理の手間が頗る煩瑣であり、違法駐車の取り締まりの実効が伴わなかった。  一方，特開平６−２２２１６５号公報記載の発明のように、駐車時間をタイマーにより自動的に計測してその計測値を表示装置に表示し車外から目視できるようになした装置を車内に配設するものがあるが、この場合には単に駐車時間を外部から目視できるというに留まり、駐車時間等を記憶することができないため車種，車両の登録番号，現在地及び時刻の筆記乃至写真撮影等により確認する手間を別に要する、また過去一定期間内の駐車状況を把握できない等使用上今ひとつ利便性に欠けるところがあった。
【０００３】
【発明が解決しようとする課題】本発明は、斯かる従来技術の有する諸難点を解消することを目的とする。  即ち、車両の駐車時間を自動的に検出表示し外部から迅速，容易，確実に当該車両の駐車時間等の必要事項を確認し又は読み取り記録することができ、従来に比し違法駐車の確認と処理作業の大幅な能率化を図り交通渋滞を防止し交通安全に寄与し得る車両の駐車時間自動検出表示装置を提供することを目的とする。
【０００４】
【課題を解決するための手段】前記目的を達成するために本発明は、次の手段を採っている。  即ち、駐車状態検出信号の入力に基づき駐車時間を計測する制御装置と、制御装置からの計測信号に基づき駐車時間を表示する表示装置と、制御装置からの計測信号に基づき駐車時間等の必要事項を記憶する記憶装置とからなり、車両内の適宜位置に配設して用いることを特徴とする。  表示装置は、駐車時間のデジタル表示の他、適宜の設定時間に対応して点灯する表示灯を用いる。そして少なくともこの表示装置は、外部から容易に目視できる車内の適当な位置に配設して用いる場合もある。  また記憶装置は、計測された駐車時間の他に走行日時等の必要事項を記憶し、そして当該車両の車種，車両の登録番号を予め記憶している。
【０００５】制御装置における駐車時間の計測は、駐車状態検出信号の入力と車両に搭載の時計機構からの時刻信号に基づき制御装置にて行う。  又は、駐車状態検出信号の入力に基づき制御装置に内蔵のタイマーにて行う。  そして駐車状態の検出信号の取り出しは、走行車軸の回転の停止，エンジンの停止，エンジンスイッチの切等適宜のものを選択して行い、その検出信号を制御装置に入力装置を介して入力することにより行う。
【０００６】更に制御装置からの指令に基づき記憶装置に保存されている駐車状況のデータを読み出して外部のデータ読み取り装置にそれを転送送信するデータ出力装置を備えておく場合もある。  データの転送送信は、赤外線等を利用した無線送信にて行う。  この場合には、表示装置が必ずしも車外から目視できるところに配設されていなくても、その駐車状況のデータを外部から容易確実に読み取り記録することができる。
【０００７】更に又、衛星から送られる現在地の位置データと時刻データを制御装置に入力するＧＰＳ受信機を備え、制御装置からの指令に基づきその位置データと時刻データを記憶装置にて記憶するようになす場合もある。  この場合には、駐車状況のデータの記録が一層明確に保存される。
【０００８】
【発明の実施の形態】別紙図面を参照して、本発明実施の形態の一例について説明する。  Ａは車両の駐車時間自動検出表示装置で、この装置は、駐車状態検出信号の入力に基づき駐車時間を計測しその表示及び記憶指令を出す制御装置（ＣＰＵ）１と，この制御装置１に駐車状態検出信号を入力する入力装置２と，制御装置からの計測信号に基づき駐車時間を表示する表示装置３と，制御装置１からの計測信号に基づき駐車時間等の必要事項を記憶する記憶装置４と，制御装置１からの指令により記憶装置４に保存されている駐車時間等駐車状況のデータを読み出してそれを外部のデータ読取装置６に転送送信する出力装置５とにより形成されており、これら制御装置１と各装置とは電気的に接続されている。
【０００９】制御装置１には、車両に搭載の時計機構７とＧＰＳ受信機８が電気的に接続されている。  駐車時間の計測は、入力装置２を介して入力する駐車状態検出信号９と時計機構７からの時刻信号とＧＰＳ受信機８からの現在地の位置及び時刻データに基づき制御装置１により行われる。或いはこの駐車時間の計測は、駐車状態の検出信号９の入力に基づき制御装置１に内蔵するタイマーにて行っても良い。  そして駐車状態の検出信号９の取り出しは、走行車軸の回転の停止，エンジンの停止，エンジンスイッチの切等適宜のものを選択して行う。
【００１０】表示装置３は、駐車時間の計測値をデジタル表示する時間表示部３ａと、適宜の設定時間に対応して点灯する適宜数の表示灯３ｂを用いる。表示装置３における時間表示部３ａと表示灯３ｂは、外部から容易に目視できるフロントグラス，リアウインドウ，ダッシュボード等の車内の適宜位置に配設する。或いはこの表示装置は、外部から目視できない車内の適当な位置に配設しても差し支えない。  記憶装置４は、計測された駐車時間を記憶する他に走行日付等必要事項を記憶し、そして当該車両の車種及び登録番号を予め記憶している。また，ＧＰＳ受信機８を介して衛星から送られる現在地の位置データと時刻データを記憶する。記憶容量は、相当な期間の走行記録を記憶できるものとする。
【００１１】データ読取装置６により記憶装置４に記憶されている駐車状況の記録を読み取る場合には、データ読取装置６より入力装置２を介して制御装置１へデータ転送指令の信号を送り、制御装置１より指令を受けた出力装置５が記憶装置４より駐車状況の記録のデータを読み出し、それを赤外線等を利用した無線送信により転送送信する。データ読取装置６にはプリンターが内蔵されており、転送された駐車状況の記録をプリントアウトすることができる。  この出力装置５を備え記憶装置４に保存の駐車時間等駐車状況のデータを外部の読取装置６に無線送信により転送する場合には、何らかの都合により表示装置３を外部から目視できるところに配置できないような場合であっても、外部より容易且つ確実に駐車時間等の駐車状況のデータを読み取り記録することができる。
走行車軸の回転開始，エンジンの始動，エンジンスイッチの入等の信号を検出した場合には、制御装置１は駐車時間の計測を停止する。  電源は、電池及び車両のバッテリーを使用する。
【００１２】
【発明の効果】本発明は上記の構成となしたので、上述の従来技術の有する諸難点を解消し、次の特有の効果を奏することができる。
即ち、車両の駐車時間を自動的に検出表示し、外部から迅速，容易，確実に当該車両の駐車時間等駐車状況の必要事項を確認し又は読み取り記録することができるので、従来に比し違法駐車の確認・処理作業を遥かに効率的に行うことができ、交通渋滞の防止と交通安全に大いに寄与することができる。  しかも単に駐車時間のみならず、当該車種や登録番号，当該日付，当該位置と時刻等の駐車状況の把握に必要な事項を確認し又は読み取り記録することができ、また過去一定期間内の走行に係る駐車状況の記録を見ることもできる。  そして記憶装置に保存されている駐車時間等の駐車状況のデータを外部に転送送信し得るようになした場合には、都合により表示装置を外部から目視できるところに配置できないような場合であってもそのデータを確認し又は読み取り記録することができる。
従ってこの装置は交通安全の面から使用上一層好適である。
【図面の簡単な説明】
【図１】本発明実施の形態の一例に係る装置のブロック構成図である。
【符号の説明】
Ａ      車両駐車時間自動検出表示装置
１      制御装置（ＣＰＵ）
２      入力装置
３      表示装置
３ａ    時間表示部
３ｂ    表示灯
４      記憶装置
５      出力装置
６      データ読取装置
７      時計機構
８      ＧＰＳ受信機
９      駐車状態検出信号
【図１】
2004333328.tif 000003